(57)【要約】【課題】カッターなどを使わずに開封が容易にでき且つ、虫などの異物が入らない段ボール箱を提供する。【解決手段】一対の側面板の上縁に繋げて設けた蓋板と、一対の端面板の上縁に繋げて設けた蓋フラップとを重ね合わせて粘着テープにて閉止する段ボール箱において、端面板の少なくとも一方の上端中央部に蓋フラップとの連設部を隔てコ字状の切込を設け、その内側の連設部より蓋フラップ側を解除板とし、端面板側を第二押板とし、蓋板、蓋フラップを内側に折り曲げ、互いに重ね合わせ、解除板と重なり合う蓋板の端部に切込を設け、その内側を第一押板とし、前記第一押板を押さえ、次いで第二押板を押すと、第二押板と粘着テープの間に隙間ができることで、前記粘着テープの端部が持ちやすくなり、開封を容易にした。【選択図】図３
2006082843.tif 000002
【特許請求の範囲】
【請求項１】
一対の側面板の上縁に繋げて設けた蓋板と、一対の端面板の上縁に繋げて設けた蓋フラップとを重ね合わせて粘着テープにて閉止する段ボール箱において、前記端面板の少なくとも一方の上端中央部に蓋フラップとの連設部を隔てコ字状の切込を設け、その内側の前記連設部より蓋フラップ側を解除板とし、端面板側を第二押板とし、前記蓋板、蓋フラップを内側に折り曲げ、互いに重ね合わせ、前記解除板と重なり合う前記蓋板の端部に切込を設け、その内側を第一押板とし、前記第一押板を押さえることで解除板が蓋フラップより離れ、次いで第二押板を押すと、前記第二押板と粘着テープの間に隙間ができることで、前記粘着テープの端部が持ちやすくなり、開封を容易にしたことを特徴とする段ボール箱。
【発明の詳細な説明】
【技術分野】
【０００１】
この発明は、段ボール箱の蓋を開封する構造に関するものである。
【背景技術】
【０００２】
従来、輸送用などで使用される段ボール箱３０（０２０１型）は、図６に示すように、一対の側面板３１と一対の端面板３２の上下縁にそれぞれフラップ３３を繋げて設け、前記フラップ３３をそれぞれ重ね合わせ、中央に粘着テープ４０を貼り付け閉止している。前記のような段ボール箱３０を開封する方法として、前記粘着テープ４０の中央をカッターなどで切り込み開封している。
【０００３】
また、カッターなどを使用しないで開封する方法として、段ボール箱の端面又は、蓋面中央に切込を設け、開封時に前記切込を破り、粘着テープの端部を持ちやすくし、剥がしやすくしている。（例えば、特許文献１参照。）。
【特許文献１】特開平９−２４０６６０号公報
【発明の開示】
【発明が解決しようとする課題】
【０００４】
しかしながら、上記のようにカッターなどで粘着テープを切り込み開封する方法では、中身の商品に傷を付ける恐れがある。
【０００５】
また、段ボール箱の端面又は、蓋面中央に切込を設け、粘着テープを剥がしやすくする方法では、輸送途中に切込部分に物や指などが当たって破れ、穴から箱内に虫などの異物が入ることがある。
【０００６】
そして、上記の問題点を解決するために、切込をミシン目などにすれば簡単に破れないようになるが、開封時に破れにくく開封しにくくなる。
【０００７】
また、端面に切込を設けた場合、粘着テープを貼る際に、先に切込部分に粘着テープの端部を貼り付ける必要があるために、粘着テープを貼る位置に気をつけなければならないので、手間である。
【０００８】
そこで、この発明は、段ボール箱内に虫などの異物が入ることを防ぎ、カッターなどを使わずに素早く開封できる段ボール箱を提供する事を課題とする。
【課題を解決するための手段】
【０００９】
以上の課題を解決するために、この発明は、一対の側面板の上縁に繋げて設けた蓋板と、一対の端面板の上縁に繋げて設けた蓋フラップとを重ね合わせて粘着テープにて閉止する段ボール箱において、前記端面板の少なくとも一方の上端中央部に蓋フラップとの連設部を隔てコ字状の切込を設け、その内側の前記連設部より蓋フラップ側を解除板とし、端面板側を第二押板とし、前記第二押板の基端には折目が設けられており、前記蓋板、蓋フラップを内側に折り曲げ、互いに重ね合わせ、前記解除板と重なり合う前記蓋板の端部に切込を設け、その内側を第一押板とし、蓋底面を粘着テープにて閉止した状態で、前記第二押板が物や指などで押されても、前記解除板が蓋フラップに接しているために、前記折目に沿って折れ曲がらずに開かない。開封時には、先に前記第一押板を押さえることで解除板が前記第二押板との連設部に沿って内側に折れ曲がることで蓋フラップより離れ、次いで第二押板を押すと、前記第二押板と粘着テープの間に隙間ができることで、前記粘着テープの端部が持ちやすくなり、開封を容易にできるようにしたのである。
【発明の効果】
【００１０】
このような段ボール箱であれば、第一押板を押した後、第二押板を押す必要があるので、輸送中にどちらかの押板に物や指が当たっても、穴ができることなく、虫などの異物が入ることがない。
【００１１】
また、上記のように開封時に二箇所の押板を押す必要があるので、開封前の状態で、店頭に陳列したとき子供などが不用意に端面の押板を押しても開かず、いたずら防止になる。
【００１２】
そして、第二押板が端面板の上端中央部に形成されているため、粘着テープを貼る際、貼り付け位置に気をつけなくても従来通りの方法で粘着テープを貼ることができる。
【００１３】
さらに、押板を形成する切込は、従来のようにミシン目や半切にする必要がなく、切込を破る行為が必要ないので力を入れずに簡単に開封できる。
【発明を実施するための最良の形態】
【００１４】
図１、２は、この発明に係る段ボール箱２０の展開図であり、一対の側面板１と一対の端面板２を交互に繋げて設け、側面板１の開放側に糊代片７を繋げて設け、前記側面板１の上縁にはそれぞれ蓋板３、４を繋げて設け、下縁にはそれぞれ底板１５、１６を繋げて設け、前記端面板２の上縁にはそれぞれ蓋フラップ５、６を繋げて設け、下縁にはそれぞれ底フラップ１７、１８を繋げて設け、前記端面板２の上端中央部に蓋フラップ５との連設部を隔てコ字状の切込１１を設け、その内側の前記連設部より蓋フラップ５側を解除板１２とし、端面板２側を第二押板１３とし、前記第二押板１３の基端には折目１４が設けられており、蓋板４、蓋フラップ５を内側に折り曲げ、互いに重ね合わせ、前記解除板１２と重なり合う蓋板４の端部にコ字状の切込８を設け、その内側を第一押板９とし、その基端には折目１０が設けられている。
【００１５】
前記段ボール箱２０は図３に示すように、糊代片７を反対側の端面板２に貼り付け筒状にし、蓋フラップ５，６、底フラップ１７、１８を連設部より内側に折り曲げ、次いで蓋板３、４、底板１５、１６を連設部より内側に折り曲げ重ね合わせ、対向する蓋板３、４と底板１５、１６の突合せした部分に粘着テープ３０を貼り付け閉止する。前記粘着テープ３０の端部は、端面板２側に折り曲げられ、端面板２の端部に貼り付いている。
【００１６】
このとき、端面板２の上端中央部に第二押板１３を形成しているために、前記粘着テープ３０の端部は、前記第二押板１３の一部に貼り付くことになる。
【００１７】
そして、上記のように閉止された段ボール箱２０は、輸送中などに、物や指などが第二押板１３を押さえても、解除板１２が蓋フラップ５に接しているために、折目１４は内側に折れ曲がることができず、第二押板１３を開くことができない。
【００１８】
段ボール箱２０を開封する際は、図４に示すように、先に第一押板９を内側に押さえることにより、解除板１２が第二押板１３との連設部より内側に折れ曲がり、蓋フラップ５から離れ、次に第二押板１３を押すと、折目１４より内側に折り曲げることができ、第二押板を開くことができる。
【００１９】
そして、図５に示すように、第二押板１３を押すことで、前記第二押板１３と端面板２に貼着している粘着テープ３０の端部とに隙間ができ、その隙間より指を入れ、粘着テープ３０の端部を摘むと剥がしやすく、カッターなどを使用しなくても開封できる。
【００２０】
なお、本発明の段ボール箱２０は前記実施形態の構成に限定されるものではない。例えば、前記実施形態では、蓋面に本発明の開封構造を設け、粘着テープ３０を剥がしやすくしたが、底面に本発明の開封構造を設けることで、解体時に粘着テープ３０を剥がしやすくなるために廃棄処分しやすい。
【００２１】
また、蓋板４の端部にコ字状の切込８を設け、第一押板９を形成しているが、切込８を円形にし、その内側の開口を第一押板９としてもよい。
【図面の簡単な説明】
【００２２】
【図１】本発明の段ボール箱の展開図である。
【図２】第一押板、第二押板の拡大展開図である。
【図３】本発明の段ボール箱を閉止した状態の斜視構成図である。
【図４】開封時の段階を示す側面図である。
【図５】第二押板と粘着テープ間の隙間を示す斜視構成図である。
【図６】従来の段ボール箱（０２０１型）の斜視構成図である。
【符号の説明】
【００２３】
１  側面板
２  端面板
３、４蓋板
５、６  蓋フラップ
７  糊代片
８、１１  切込
９  第一押板
１０、１４  折目
１２  解除板
１３  第二押板
１５、１６  底板
１７、１８  底フラップ
２０  段ボール箱
３０  粘着テープ
【図１】
2006082843.tif 000003
【図２】
2006082843.tif 000004
【図３】
2006082843.tif 000005
【図４】
2006082843.tif 000006
【図５】
2006082843.tif 000007
【図６】
2006082843.tif 000008